(57)【特許請求の範囲】
【請求項１】
透液性表面シートと裏面シートとの間に吸収体が介在された本体部分の両側部に夫々、装着時に下着のクロッチ部分を巻き込むようにして固定されるウイング状フラップが形成された吸収性物品において、
前記ウイング状フラップは、外形線の少なくとも一部が波状線や曲線又はこれらの組み合わせとしてあり、該ウイング状フラップの外形線に沿う周縁部に、複数のドット状エンボスを設けるとともに、該ウイング状フラップの外形線が外方に突出する凸部に対応する位置に、前記ドット状エンボスより相対的に大きな面積の機能エンボスを設けてあることを特徴とする吸収性物品。
【請求項２】
前記機能エンボスは、前記ドット状エンボスより１０倍〜２５倍の面積で形成されている請求項１記載の吸収性物品。
【請求項３】
前記機能エンボスは、前記ウイング状フラップの外形線が外方に突出する凸部の頂部から０mm〜１５mm内側に離隔する位置に設けられている請求項１、２いずれかに記載の吸収性物品。
【請求項４】
前記機能エンボスは、前記ウイング状フラップの外形線の凹部同士を結ぶ仮想線より外側に延在して形成されている請求項１〜３いずれかに記載の吸収性物品。
【請求項５】
前記ドット状エンボスは、前記ウイング状フラップの外形線が内方に窪む凹部に対応する位置において、前記凹部に沿うとともに、前記凹部を形成する曲線のほぼ中心位置から同心円状に配置してある請求項１〜４いずれかに記載の吸収性物品。
【請求項６】
前記ウイング状フラップの中央部であって、前記ドット状エンボスが設けられていない領域に、前記ドット状エンボスより相対的に大きな面積の中央部エンボスを設けてある請求項１〜５いずれかに記載の吸収性物品。
【請求項７】
前記中央部エンボスは、前記ウイング状フラップの外形線に近接する中央部エンボス同士を結ぶ直線と、前記外形線を直線化した仮想線とがほぼ平行となるように設けられている請求項６記載の吸収性物品。
【発明の詳細な説明】
【技術分野】
【０００１】
本発明は、下着への固定に際し、下着のクロッチ部分に巻き付けるようにして使用されるウイング状フラップを備えた吸収性物品に関する。
【背景技術】
【０００２】
従来より、生理用ナプキン、パンティライナー、おりものシート、失禁パッドなどの吸収性物品Ｎとしては、例えば図１１および図１２に示されるように、ポリエチレンシートまたはポリエチレンラミネート不織布などからなる不透液性裏面シート５０と、不織布または透孔性プラスチックシートなどからなる透液性表面シート５１との間に綿状パルプなどからなる吸収体５２を介在させたものが知られている。【０００３】
この種の吸収性物品Ｎとしては、装着状態でのズレ止めを図るために、例えば非肌当接面側（外面）に１または複数条の粘着剤層５３，５３を形成し、かつナプキン本体の長手方向両側部に、外方に延在するウイング状フラップＷ、Ｗを一体的に形成するとともに、このウイング状フラップＷ、Ｗの不透液性裏面シート５０側の面（外面）に粘着剤層５４，５４を設けるようにしたものが存在する。【０００４】
前記吸収性物品Ｎを下着３０に固定する際には、図１３に示されるように、吸収性物品Ｎを局所にあてがい、側方に突出する前記ウイング状フラップＷ、Ｗを下着より取り出し、両ウイング状フラップＷ、Ｗを折返し線ＲＬ、ＲＬで折返し、下着のクロッチ部分を巻き込むようにしながら下着３０の股間部外面に接着するようにする。【０００５】
一方、前記ウイング状フラップＷを含む吸収性物品の周縁部には、表面材と裏面シートとを接合するシール部が設けられている。かかるシール部に関して、下記特許文献１には、シール部の接着不良や損傷をなくすため、シール部が凹凸を有しており、該凹凸として吸収性物品の長手方向又は幅方向に凹部又は凸部のピッチ又は面積を異ならせるようにした吸収性物品が開示されている。また、下記特許文献２には、シール部の柔軟性を維持するため、シール部に複数の圧着部を形成し、この圧着部が第１圧着部と第２方向に隣り合う第２圧着部とからなり、第１圧着部及び第２圧着部として第１方向における長さが第２方向における長さよりも長くなるように形成した吸収性物品が開示されている。
【先行技術文献】
【特許文献】
【０００６】
【特許文献１】特許第３６１１７６１号
【特許文献２】特開２００８−２８９６５８号公報
【発明の概要】
【発明が解決しようとする課題】
【０００７】
近年では、前記ウイング状フラップＷの平面形状も多様化し、装着のし易さや外観デザインの向上などのため、外形線の少なくとも一部が波状線や曲線又はこれらの組み合わせからなるウイング状フラップを備えた吸収性物品が提案されている。ところが、このような凹凸の外形線からなるウイング状フラップに対して、上記特許文献１、２に記載されるようなシール部を設けた場合、ウイング状フラップの外形線が外方に突出する凸部における剛性不足から、めくれやヨレが生じることがあり、これによって装着中の違和感を引き起こすおそれがあった。【０００８】
そこで本発明の主たる課題は、外形線の少なくとも一部が波状線や曲線又はこれらの組み合わせからなるウイング状フラップを備える吸収性物品において、ウイング状フラップのめくれを防止し、装着中の違和感を軽減した吸収性物品を提供することにある。
【課題を解決するための手段】
【０００９】
上記課題を解決するために請求項１に係る本発明として、透液性表面シートと裏面シートとの間に吸収体が介在された本体部分の両側部に夫々、装着時に下着のクロッチ部分を巻き込むようにして固定されるウイング状フラップが形成された吸収性物品において、
前記ウイング状フラップは、外形線の少なくとも一部が波状線や曲線又はこれらの組み合わせとしてあり、該ウイング状フラップの外形線に沿う周縁部に、複数のドット状エンボスを設けるとともに、該ウイング状フラップの外形線が外方に突出する凸部に対応する位置に、前記ドット状エンボスより相対的に大きな面積の機能エンボスを設けてあることを特徴とする吸収性物品が提供される。【００１０】
上記請求項１記載の発明では、外形線の少なくとも一部が波状線や曲線又はこれらの組み合わせからなるウイング状フラップとしてあり、該ウイング状フラップの外形線に沿う周縁部に、複数のドット状エンボスを設けるとともに、該ウイング状フラップの外形線が外方に突出する凸部に対応する位置に、前記ドット状エンボスより相対的に大きな面積の機能エンボスを設けてある。従って、前記ドット状エンボスによってウイング状フラップの周縁に沿って剛性を付与することができるとともに、前記外方に突出する凸部に対応する位置に設けた前記機能エンボスによって前記凸部の剛性が増し、装着時にウイング状フラップを折り返すときでもこの凸部がめくれたりヨレたりすることがなく、装着中の違和感が軽減できるようになる。【００１１】
請求項２に係る本発明として、前記機能エンボスは、前記ドット状エンボスより１０倍〜２５倍の面積で形成されている請求項１記載の吸収性物品が提供される。【００１２】
上記請求項２記載の発明では、ドット状エンボスと機能エンボスとの相対的な面積割合について規定してあり、機能エンボスをドット状エンボスより１０倍〜２５倍の面積で形成することによって、ウイング状フラップの凸部のめくれがより確実に防止できるようになる。【００１３】
請求項３に係る本発明として、前記機能エンボスは、前記ウイング状フラップの外形線が外方に突出する凸部の頂部から０mm〜１５mm内側に離隔する位置に設けられている請求項１、２いずれかに記載の吸収性物品が提供される。【００１４】
上記請求項３記載の発明では、ウイング状フラップのめくれ防止を考慮して機能エンボスの位置を、ウイング状フラップの外形線が外方に突出する凸部の頂部から０mm〜１５mm内側に離隔する位置としてある。【００１５】
請求項４に係る本発明として、前記機能エンボスは、前記ウイング状フラップの外形線の凹部同士を結ぶ仮想線より外側に延在して形成されている請求項１〜３いずれかに記載の吸収性物品が提供される。【００１６】
上記請求項４記載の発明では、機能エンボスをウイング状フラップの外形線の凹部同士を結ぶ仮想線より外側に延在して形成することにより、凸部のめくれをより確実に防止することができるようになる。【００１７】
請求項５に係る本発明として、前記ドット状エンボスは、前記ウイング状フラップの外形線が内方に窪む凹部に対応する位置において、前記凹部に沿うとともに、前記凹部を形成する曲線のほぼ中心位置から同心円状に配置してある請求項１〜４いずれかに記載の吸収性物品が提供される。【００１８】
上記請求項５記載の発明では、前記ドット状エンボスは、ウイング状フラップの外形線が内方に窪む凹部に対応する位置において、この凹部に沿うとともに、この凹部を形成する曲線のほぼ中心位置から同心円状に配置してあるため、外形線の凹凸形状が強調され、見た目が美麗になるとともに、外形線に凹凸を設けたことによる装着のし易さがより向上する。【００１９】
請求項６に係る本発明として、前記ウイング状フラップの中央部であって、前記ドット状エンボスが設けられていない領域に、前記ドット状エンボスより相対的に大きな面積の中央部エンボスを設けてある請求項１〜５いずれかに記載の吸収性物品が提供される。【００２０】
上記請求項６記載の発明では、ウイング状フラップの中央部であって、前記ドット状エンボスが設けられていない領域に、前記ドット状エンボスより相対的に大きな面積の中央部エンボスを設けることによって、ウイング状フラップの中央部においても剛性が増し、装着し易くなる。【００２１】
請求項７に係る本発明として、前記中央部エンボスは、前記ウイング状フラップの外形線に近接する中央部エンボス同士を結ぶ直線と、前記外形線を直線化した仮想線とがほぼ平行となるように設けられている請求項６記載の吸収性物品が提供される。【００２２】
上記請求項７記載の発明において、中央部エンボスは、ウイング状フラップの外形線に近接する中央部エンボス同士を結ぶ直線と、外形線を直線化した仮想線とがほぼ平行となるように設けることが好ましい。
【発明の効果】
【００２３】
以上詳説のとおり本発明によれば、外形線の少なくとも一部が波状線や曲線又はこれらの組み合わせからなるウイング状フラップを備える吸収性物品において、ウイング状フラップのめくれを防止し、装着中の違和感を軽減した吸収性物品が提供できるようになる。
【図面の簡単な説明】
【００２４】
【図１】本発明に係る生理用ナプキン１の一部破断展開図である。
【図２】そのII−II線矢視図である。
【図３】ウイング状フラップの要部拡大平面図である。
【図４】ナプキンの装着要領を示す、(A)は従来のウイング状フラップの場合、(B)は本発明に係るウイング状フラップの場合である。
【図５】ウイング状フラップの折返し時の作用力メカニズムを示す、(A)は従来のウイング状フラップの場合、(B)は本願発明に係るウイング状フラップの場合である。
【図６】本発明に係るウイング状フラップの平面形状を示す模式図(A)〜(D)である。
【図７】ウイング状フラップの拡大平面図である。
【図８】機能エンボス２３の他の配置例を示すウイング状フラップＷの拡大平面図である。
【図９】他の形態例に係る生理用ナプキン１の展開図である。
【図１０】他の形態例に係るウイング状フラップの拡大平面図である。
【図１１】従来の生理用ナプキンＮの展開図である。
【図１２】その横断面図である。
【図１３】その装着状態図である。
【発明を実施するための形態】
【００２５】
以下、本発明の実施の形態について図面を参照しながら詳述する。
【００２６】
《生理用ナプキン１》
本発明に係る生理用ナプキン１は、図１及び図２に示されるように、ポリエチレンシート、ポリプロピレンシートなどからなる不透液性裏面シート２と、経血やおりものなどを速やかに透過させる透液性表面シート３と、これら両シート２，３間に介在された綿状パルプまたは合成パルプなどからなる吸収体４と、この吸収体４の形状保持および拡散性向上のために前記吸収体４を囲繞するクレープ紙５と、前記透液性表面シート３とクレープ紙５との間に介在された親水性不織布からなるセカンドシート６と、表面両側部にそれぞれ長手方向に沿って形成されたサイド不織布７，７とから構成されている。前記吸収体４の周囲において、その上下端縁部では、前記不透液性裏面シート２と透液性表面シート３との外縁部がホットメルトなどの接着剤やヒートシール等の接着手段によって接合され、またその両側縁部では吸収体４よりも側方に延出している前記不透液性裏面シート２と前記サイド不織布７とがホットメルトなどの接着剤やヒートシール等の接着手段によって接合されている。
【００２７】
以下、さらに前記生理用ナプキン１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００２８】
前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。なお、前記透液性表面シート３の上面側から各種のエンボスを付与し、体液の滞留を促進し吸収効率を高めることにより横漏れを防止するのが望ましい。
【００２９】
前記不透液性裏面シート２と透液性表面シート３との間に介在される吸収体４は、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。本例のように、吸収体４を囲繞するクレープ紙５を設ける場合には、結果的に透液性表面シート３と吸収体４との間にクレープ紙５が介在することになり、吸収性に優れる前記クレープ紙５によって体液を速やかに拡散させるとともに、これら経血等の逆戻りを防止するようになる。
【００３０】
前記透液性表面シート３とクレープ紙５との間に介在された親水性不織布からなるセカンドシート６は、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。親水性を付与するには、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えることができる。
【００３１】
一方、本生理用ナプキン１の表面がわ両側部にはそれぞれ、長手方向に沿ってかつナプキン１のほぼ全長に亘ってサイド不織布７，７が設けられ、このサイド不織布７，７の一部が側方に延在されるとともに、同じく側方に延在された不透液性裏面シート２の一部とによりウイング状フラップＷ、Ｗが形成されている。このウイング状フラップＷについては後で詳述する。
【００３２】
前記サイド不織布７としては、重要視する機能の点から撥水処理不織布または親水処理不織布を使用することができる。たとえば、経血やおりもの等が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、前記ウイング状フラップＷ、Ｗにおける経血等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにする。
【００３３】
《ウイング状フラップＷ》
本生理用ナプキン１では、図１に示されるように、ウイング状フラップＷは、外形線の少なくとも一部が波状線や曲線又はこられの組み合わせとした凹凸曲線で形成してあり、該ウイング状フラップＷの外形線に沿う周縁部に、複数のドット状エンボス２２、２２…を設けるとともに、該ウイング状フラップＷの外形線が外方に突出する凸部に対応する位置に、前記ドット状エンボス２２より相対的に大きな面積を有する機能エンボス２３を設けてある。このように、ウイング状フラップＷの外形線の凸部に対応する位置に、前記ドット状エンボス２２より相対的に大きな面積を有する機能エンボス２３を形成することによって、単にドット状エンボス２２のみをウイング状フラップＷの外形線に沿って一様に形成したときより、ウイング状フラップＷの凸部において機能エンボス２３を設けたことによる剛性が増し、装着時に折り返すときでもめくれたりヨレたりすることがなく、装着中の違和感が軽減できるようになる。
【００３４】
また、前記ドット状エンボス及び機能エンボスを設けることによって、ウイング状フラップ全体にコシが出て下着に装着し易くなるとともに、ウイング状フラップの凹凸形状が強調され、デザイン性が向上する。
【００３５】
前記ウイング状フラップＷは、詳細には図３に示されるように、本体部分から外方に延びる前側外形線１０と、本体部分から外方に延びる後側外形線１１と、前記前側外形線１０と後側外形線１１とを繋ぐ先端側外形線１２とからなる外形状を成す。そして、これらの外形線のうち少なくとも一部が波状線や曲線又はこれらの組み合わせとしてある。好ましくは、前記前側外形線１０又は後側外形線１１の少なくとも一方が波状線や曲線又はこれらの組み合わせとしてある。
【００３６】
また、本生理用ナプキン１では、前記ウイング状フラップＷの形状を、生理用ナプキン１の幅方向線と前記前側外形線１０との成す角度θよりも前記生理用ナプキン１の幅方向線と前記後側外形線１１との成す角度βの方が大きく設定され、前記ウイング状フラップＷの重心１３がウイング状フラップＷの付け根と本体部分との接合線１５の中央点１４よりもΔＳだけ前側に偏倚させるようにすることが望ましい。なお、上記条件を満たす形状を模式的に示すと、図６(A)、(C)に示される略三角形状か、図６(B)、(D)に示される略不等脚台形状となる。形状が略三角形状の場合は、前側外形線１０と後側外形線１１とを繋ぐ先端側外形線１２が存在しないような形状としてもよい。また、前記前側外形線１０、後側外形線１１及び先端側外形線１２は、波状線や曲線又はこれらの組み合わせである必要はなく、一部が直線であってもよい。前側外形線１０、後側外形線１１が波状線や曲線又はこれらの組み合わせの場合、角度θ、βは、これらの波状又は曲線外形線の中心線が成す勾配を取ればよい。
【００３７】
前記生理用ナプキン１の幅方向線と前記前側外形線１０との成す角度θは、０〜２０°程度とし、前記生理用ナプキン１の幅方向線と前記後側外形線１１との成す角度βは３０〜４５°程度とするのが望ましく、この場合、前記生理用ナプキン１の幅方向線と前記前側外形線１０との成す角度θと、前記生理用ナプキン１の幅方向線と前記後側外形線１１との成す角度βとの角度差は１５°以上とするのが望ましい。この角度差が１５°以上であると、十分な偏心距離ΔＳを確保でき、ウイング状フラップＷを折り返す際に、後述のように、手を前側に動かす動作を伴いながら手でウイング状フラップを折り返しても、きっちりと正規の状態で装着できるようになる。
【００３８】
ウイング状フラップＷを上記のような外形状とすることにより、ウイング状フラップに粘着剤同士の接着や誤接着などの不具合を生じさせずに、簡単に正規の折り位置できっちりと折返し貼着できるなどの利点をもたらすことが可能となる。この点について、従来の等脚台形状のウイング状フラップＷ（図１０参照）との比較によって更に詳述する。
【００３９】
先ず、女性が便器等に座った状態で生理用ナプキン１をショーツ３０に装着する場合は、ショーツ３０を下げ降ろした状態で行うため、図４に示されるように、身体よりも前側でナプキン１の装着作業を行うことになる。
【００４０】
従来の等脚台形状のウイング状フラップＷの場合は、図４(A)に示されるように、手をナプキンの両側に添えた状態からウイング状フラップを真下方向に折り返さないとうまく装着できない構造となっている。しかし、装着位置が身体よりも前側になっていることから、注意していないと手を前側に動かす動作（図４(B)）が入ってしまい、ウイング状フラップの一部だけが折り返され、粘着剤同士が接着してしまいシワや隆起部が出来たり、ウイング状フラップＷが中間で折り返され粘着剤層に接着してしまう誤接着などの不具合が出来たりしていた。また、ウイング状フラップの折返し線が斜めに曲がって折り返されることがあった。そこで、本発明では、図４(B)に示されるように、前記ウイング状フラップＷを折り返す際に、手を前側に動かす動作を伴いながら手でウイング状フラップを折り返しても、きっちりと正規の状態で装着できるウイング形状としたものである。
【００４１】
図５(A)は、従来の等脚台形状のウイング状フラップＷの折返し時の作用力メカニズムを示したものであるが、手を前側に動かす動作を伴いながら手でウイング状フラップを折り返す場合、ウイング状フラップＷの後側外形線から先端側に亘って下側に向かう荷重が作用するとし、これらの分布荷重を纏めた集中荷重ΣＰを想定すると、この集中荷重ΣＰによって生じるモーメントの基点はウイング状フラップの接合線１５の中央点１４となり、ウイング状フラップＷを折り返す際に捻れが生じ、後側外形線１１の基端から徐々に進行していく折返し線１６は外側に傾いてしまうことになる。
【００４２】
これに対して、本発明の場合は、図５(B)に示されるように、傾斜した後側外形線１１の中央部分に下側に向かう荷重が作用するとし、これらの分布荷重を纏めた集中荷重ΣＰを想定すると、この集中荷重ΣＰによって生じるモーメントの基点はウイング状フラップの接合線１５の中央点１４よりも前側にシフトした重心分割点１３’（接合線１５の１：２分割点）となり、ウイング状フラップＷを折り返す際の捻れが少ないため、後側外形線１１の基端から徐々に進行していく折返し線１６は接合線１５と一致し、正規の折返し位置で折り返されることになる。
【００４３】
また、ウイング状フラップＷの後側外形線１１が大きく傾斜した形状となっているため、ウイング状フラップＷに粘着剤同士の接着や誤接着などの不具合を生じさせることなく、折返し線ＲＬできっちりと折り畳まれるようになる。
【００４４】
一方、前記ウイング状フラップＷの突出長Ｌ（図３参照。）は、３５mm以上、好ましくは４０〜５０mmとし、ショーツ３０のクロッチ幅でウイング同士が重なってショーツへの固定がしっかりとできるようにするのがよい。なお、ウイング状フラップＷの基端部のナプキン長手方向の長さは、ショーツのクロッチ内に納まるように８０mm以内とするのがよい。
【００４５】
ウイング状フラップＷの外形線は、図６(A)、(B)に示されるように、前側外形線１０が幅方向線とほぼ一致するように形成することができる。(A)は先端側外形線１２を曲線状としたもの、(B)は先端側外形線１２に直線部分を含むものである。また、同図６(C)、(D)に示されるように、前側外形線１０が幅方向線に対して傾斜している場合も同様に、先端側外形線１２を曲線状（(C)）、直線状（(D)）とすることができる。
【００４６】
次に、ウイング状フラップＷに設けられる各エンボスについて詳細に説明すると、前記ドット状エンボス２２は、図７に示されるように、ウイング状フラップＷの外形線に沿う周縁部に所定幅でかつ所定のパターンで形成してある。具体的には、前側外形線１０、後側外形線１１を波状線や曲線又はこれらの組み合わせとし、凸部２０と凹部２１とが交互に形成されるようにした場合、前記凸部２０及び凹部２１の曲線形状に合わせて外形線に沿う周縁部に複数列で多数形成することが好ましい。前記ドット状エンボス２２が形成される範囲としては、外形線から内側に６mm〜２５mmの範囲でウイング状フラップＷの外周縁部に形成することが好ましい。ドット状エンボス２２は、ウイング状フラップＷの折返し線ＲＬより内側にも形成するようにしてもよいが、装着時にウイング状フラップＷを折り曲げやすくするため、図１に示されるように、折返し線ＲＬの外側のみに形成することが好ましい。前記ドット状エンボス２２の１つ当たりの面積は、０．２mm２〜１．８mm２、好ましくは０．５mm２〜０．８mm２とすることが好ましい。
【００４７】
前記ドット状エンボス２２の平面形状は図示例では円形としたが、楕円形、三角形、四角形、星形など任意の形状とすることができる。また、エンボスパターンは、図７に示されるように生理用ナプキン１の長手方向及び幅方向に沿う千鳥状とするのが好ましいが、格子状や後段で詳述する特殊な配置パターンなど任意のパターンとすることができる。また、エンボス付与方法は熱圧着による方法を採用することができる。
【００４８】
一方、前記機能エンボス２３は、ウイング状フラップＷの外形線の凹凸形状に合わせて間欠的なパターンで形成してある。具体的には、ウイング状フラップＷの外形線が前記凸部２０と凹部２１とが交互に形成されるようにした場合、ウイング状フラップＷの外形線が外方に突出する凸部２０に対応する位置に合わせて間欠的なパターンで形成することにより全体として外形線に沿って離散的に形成することが好ましい。機能エンボス２３は、ドット状エンボス２２より相対的に大きな面積で形成され、具体的にはドット状エンボス２２の面積の１０倍〜２５倍の面積、好ましくは１４倍〜２０倍の面積で形成することが好ましい。この機能エンボス２３の形成部位には前記ドット状エンボス２２は形成せずに、該機能エンボス２３はドット状エンボス２２とは独立して形成することが好ましい。
【００４９】
前記機能エンボス２３は、ウイング状フラップＷの外形線から所定の長さだけ離隔して形成されている。具体的には、図７に示されるように、ウイング状フラップＷの外形線が外方に突出する凸部２０の頂部から機能エンボス２３までの離隔幅Ｃが０mm〜１５mmの範囲内に形成されている。離隔幅Ｃが１５mmを超えた位置に配置すると、凸部２０のめくれを防止する効果が著しく低減する。
【００５０】
また、機能エンボス２３の全部又は一部は、図８に示されるように、ウイング状フラップＷの外形線の対応する凸部２０の両側に隣接する凹部２１、２１同士を結ぶ仮想線２５より外側に延在して形成されるように配置することが好ましい。これにより、ウイング状フラップＷの凸部２０のめくれが確実に防止できるようになる。なお、外形線と機能エンボス２３との間は、機能エンボス２３が前記仮想線２５より外側に延在して形成されない場合（図７の場合）にはドット状エンボス２２が形成され、仮想線２５より外側に延在して形成される場合（図８の場合）にはドット状エンボス２２が形成されない、などのように必要に応じてドット状エンボス２２が形成されている。
【００５１】
前記機能エンボス２３の平面形状は、図示例では複数の楕円形を中心部から放射状に配置した花形としたが、ドット状エンボス２２より相対的に大きな面積で形成されるものであれば、ハート形、菱形、星形、リボン形、円形など任意の形状とすることができる。また、単一の形状によって構成されるものでなくても、図示例の花形のように複数の形状を組み合わせてほぼ一群の形状になるように構成されるものでもよい。機能エンボス２３が複数の形状の組み合わせによって構成される場合には、これら複数の形状の合計した面積をドット状エンボス２２の面積より相対的に大きく形成する。エンボス付与方法は、ドット状エンボス２２と同様に熱圧着による方法を採用することができる。
【００５２】
一方、図７に示されるように、ウイング状フラップＷの中央部であって、ドット状エンボス２２及び機能エンボス２３が設けられていない領域に、前記ドット状エンボス２２より相対的に大きな面積の中央部エンボス２４を設けてある。これによって、ウイング状フラップＷの中央部においても剛性が増すため、フラップの折り曲げがより容易になり、装着がよりし易くなる。このとき、中央部エンボス２４は、ウイング状フラップＷの前側において、前側外形線１０を直線化した仮想線１０ａと、この前側外形線１０に近接する中央部エンボス２４同士を結ぶ直線２４ａとがほぼ平行となるように配置するとともに、ウイング状フラップＷの後側において、後側外形線１１を直線化した仮想線１１ａと、この後側外形線１１に近接する中央部エンボス２４同士を結ぶ直線２４ｂとがほぼ平行となるように配置することが好ましい。前側外形線１０又は後側外形線１１を直線化した仮想線１０ａ、１１ａとは、外形線が直線で形成される場合にはその外形線のことであり、外形線が凹凸曲線によって形成される場合には凹凸曲線のほぼ中央部を通る仮想線（図７に示される例）、凸部２０の頂点を結ぶ仮想線又は凹部２１の頂点を結ぶ仮想線のうち任意に選択したいずれかの線のことである。これらの直線がほぼ平行するとは、外形線を直線化した仮想線１０ａ（１１ａ）に対し、中央部エンボス２４同士を結ぶ直線２４ａ（２４ｂ）が±１０°の範囲内にあればよい。中央部エンボス２４をこのように配置することによって、ランダムに配置した場合より、ウイング状フラップＷの外形線に沿う方向、すなわちウイング状フラップＷの突出方向に対して剛性が増し、下着に装着し易くなる。
【００５３】
図示例では、中央部エンボス２４は、ウイング状フラップＷの中央部に前側外形線１０及び後側外形線１１のそれぞれに見かけ上２つずつ配置してあるが、外方側の中央部エンボス２４が共通するため全体として３つ配置してある。
【００５４】
中央部エンボス２４の平面形状は、図示例では前記機能エンボス２３と同様の花形としてあるが、ドット状エンボス２２より相対的に大きな面積で形成されるものであれば、ハート形、菱形、星形、リボン形、円形など任意の形状とすることができる。また、中央部エンボス２４は機能エンボス２３と同じ形状としても良いし、異なる形状のものを用いても良い。エンボス付与方法は、ドット状エンボス２２と同様に熱圧着による方法を採用することができる。
【００５５】
次に、他の形態に係るウイング状フラップＷについて、図９及び図１０に基づいて説明する。他の形態に係るウイング状フラップＷは、上記形態例と比べてドット状エンボス２２の配置パターンが異なっている。具体的には、ドット状エンボス２２は、ウイング状フラップＷの外形線が内方に窪む凹部２１に対応する位置において、この外形線の凹部２１に沿うとともに、この凹部２１を形成する曲線のほぼ中心位置からほぼ等角度間隔で放射状に引いた直線上であって、前記中心位置から同心円状に配置してある。ドット状エンボス２２をこのような配置パターンとすることによって、外形線の凹凸形状が強調され、見た目が美麗になるとともに、外形線に凹凸を設けたことによる装着のし易さがより向上する。
【００５６】
なお、ウイング状フラップＷ以外の生理用ナプキン１の外周部については、図示例では、表面材と裏面シート２とがホットメルト等の接着剤によって接合されるとともに、前側端部及び後側端部の所定領域には熱圧着によるエンボスが付与されている。
【００５７】
〔他の形態例〕
ウイング状フラップＷ、Ｗの不透液性裏面シート２側の面に形成されるウイングズレ止め粘着剤層（図示せず）を、前記機能エンボス２３及び／又は中央部エンボス２４の配置パターンに対応して設けるようにしてもよい。例えば、各機能エンボス２３の裏面側（不透液性裏面シート２側の面）に円形など任意の形状で設けることにより全体としてウイング状フラップＷの外形線に沿って離散的に設けたり、中央部エンボス２４が形成された領域の裏面側に３つの中央部エンボス２４、２４…を結ぶ三角形状などの所定形状で設けたりすることができる。これによって機能エンボス２３及び／又は中央部エンボス２４による増強の効果を補強することができ、ウイング状フラップＷの装着性がより向上できる。
【符号の説明】
【００５８】
１…生理用ナプキン、２…不透液性裏面シート、３…透液性表面シート、４…吸収体、５…クレープ紙、６…セカンドシート、７…サイド不織布、１０…前側外形線、１１…後側外形線、１２…先端側外形線、２０…凸部、２１…凹部、２２…ドット状エンボス、２３…機能エンボス、２４…中央部エンボス、Ｗ…ウイング状フラップ
【図１】
0006031444.tif 000002
【図２】
0006031444.tif 000003
【図３】
0006031444.tif 000004
【図４】
0006031444.tif 000005
【図５】
0006031444.tif 000006
【図６】
0006031444.tif 000007
【図７】
0006031444.tif 000008
【図８】
0006031444.tif 000009
【図９】
0006031444.tif 000010
【図１０】
0006031444.tif 000011
【図１１】
0006031444.tif 000012
【図１２】
0006031444.tif 000013
【図１３】
0006031444.tif 000014